(57)【要約】  輸液や血液を効果的に加温でき、輸液や血液に発生した空気を効果的に除去でき、輸液や血液が円滑に移動できる医療用加温装置を提供する。ヒーターの前面、および、背面に各々配置され、前記ヒーターを囲む流体が移動するように流路を形成する隔壁部材、および、カバー部材と前記流路上に配置されエアーを除去するエアーフィルター部と、前記流路から流体が流入する、第一連結部、および、前記流路から前記流体が流出する第二連結部が含まれる。
2011528930.tif 000002
【特許請求の範囲】
【請求項１】
ヒーター；前記ヒーターの前面及び背面に夫々配置され、前記ヒーターを包みながら流体が移動するように流路を形成する隔壁部材およびカバー部材;
前記流路上に配置されエアーを除去するエアーフィルター部;
前記流路に流体が流入する第一連結部および前記流路から前記流体が流出する第二連結部が含まれる加温装置。
【請求項２】
前記隔壁部材およびカバー部材は前記ヒーターの背面に配置される第一隔壁および第一カバーと、前記第一隔壁および第一カバーと対応し前記流路を形成するように前記ヒーターの前面に配置される前記第二隔壁と、第二カバーおよび第三カバーが含まれ、前記エアーフィルター部は前記第二隔壁と前記第三カバーの間に配置されたフィルターと、前記第三カバーに形成されエアーが排出される気孔が含まれる請求項１に記載の加温装置。
【請求項３】
前記第一隔壁および第一カバーは一体に射出されて形成し、前記第二隔壁および第二カバーは一体に射出されて形成される請求項２に記載の加温装置。
【請求項４】
前記ヒーターは、前面および背面に抵抗パターンが形成されたＰＣＢ基板の請求項１に記載の加温装置。
【請求項５】
前記ヒーターの一部分は、前記カバー部材の外側に突出し、前記突出した部分の前面および背面には電源印加電極が形成された請求項４に記載の加温装置。
【請求項６】
前記ヒーターの前面および背面に形成された抵抗パターンは相互電気的に分離した請求項４に記載の加温装置。
【請求項７】
前記ヒーターは、前面および背面にはセンシング電極を含む温度感知センサーが形成された請求項１に記載の加温装置。
【請求項８】
前記隔壁部材およびカバー部材は、前記ヒーターの前面および背面に付着する隔壁と、前記ヒーターの前面および背面に結合され前記隔壁と共に流路を形成する第一カバーおよび第二カバーが含まれ、前記エアーフィルター部は、前記隔壁と前記第二カバーの間に配置されたフィルターと、前記フィルターが配置された流路に対応する前記第二カバーに形成されたエアーが排出される気孔が含まれる請求項１に記載の加温装置。
【請求項９】
前記ヒーターは、前面および背面を連結する連結孔が形成され、前記隔壁は前記連結孔を介して連結される請求項８に記載の加温装置。
【請求項１０】
前記ヒーターは、前記隔壁を形成する物質よりも融点が低いコーティング物質が前記ヒーターの前面および背面に塗布され、前記隔壁形成時、前記コーティング物質が溶けて前記隔壁と一体化する請求項８に記載の加温装置。
【請求項１１】
前記隔壁部材およびカバー部材は、前記ヒーターの前面および背面に付着する隔壁と、前記ヒーターの背面に結合され、前記隔壁と共に流路を形成する第一隔壁および第一カバーと、前記ヒーターの前面に結合され、前記隔壁と共に流路を形成する第二隔壁および第二カバーが含まれ、前記隔壁の端部は凹または凸で、前記第一隔壁および第二隔壁の端部は前記隔壁の端部と対応するように凸または凹で、前記エアーフィルター部は前記隔壁と前記第二カバーの間に配置されたフィルターと、前記フィルターが配置された流路に対応する前記第二カバーに形成されたエアーが排出される気孔が含まれる請求項１に記載の加温装置。 
【請求項１２】
前記隔壁部材およびカバー部材は、前記ヒーターの前面および背面に付着する隔壁と、前記ヒーターの背面に結合され前記隔壁と共に流路を形成する第1隔壁および第一カバーと、前記ヒーターの前面に結合され前記隔壁と共に流路を形成する第二隔壁と第二カバーおよび第三隔壁と第三カバーが含まれ、前記隔壁の端部は凹または凸で、前記第一隔壁、第二隔壁および第三隔壁の端部は前記隔壁の端部と対応するように凸または凹で、前記エアーフィルター部は前記隔壁と前記第三カバーの間に配置されたフィルターと、前記フィルターが配置された流路に対応する前記第三カバーに形成されたエアーが排出される気孔が含まれる請求項１に記載の加温装置。
【請求項１３】
前記隔壁部材およびカバー部材は前記ヒーターの前面および背面に付着して端部がふっくらした隔壁と、前記ヒーターの背面に結合され前記隔壁と共に流路を形成し前記隔壁に対応する位置に第一ホームが形成された第一カバーと、前記ヒーターの前面に結合され前記隔壁と共に流路を形成し前記隔壁に対応する位置に第二ホームが形成された第二カバーが含まれ、前記エアーフィルター部は前記隔壁と前記第二カバーの間に配置されたフィルターと、前記フィルターが配置された流路に対応する前記第二カバーに形成されたエアーが排出される気孔が含まれる請求項１に記載の加温装置。
【請求項１４】
前記隔壁部材およびカバー部材は、前記ヒーターの前面および背面に付着し、端部がふっくらした隔壁と、前記ヒーターの背面に結合され前記隔壁と共に流路を形成し前記隔壁に対応する位置に第一ホームが形成された第一カバーと、前記ヒーターの前面に結合され前記隔壁と共に流路を形成し前記隔壁に対応する位置に第二ホームが形成された第二カバーと、前記ヒーターの前面に配置され前記隔壁と共に流路を形成し前記隔壁に対応する位置に第三ホームが形成された第三カバーが含まれ、前記エアーフィルター部は前記隔壁と前記第三カバーの間に配置されたフィルターと、前記フィルターが配置された流路に対応する前記第三カバーに形成されたエアーが排出される気孔が含まれる請求項１に記載の加温装置。
【請求項１５】
前記ヒーターの一部分が挿入される電極挿入ホームが形成されたケースがさらに含まれ、前記電極挿入ホームの上下には前記ヒーターの前面および背面に形成された前記電源印加電極と各々電気的に連結される電源コネクターが形成された請求項５に記載の加温装置。
【請求項１６】
前記電源印加電極は、前記ヒーターの前面および背面に各々二個ずつ形成され、前記電源コネクターを介して直列または、並列に連結される請求項１５に記載の加温装置。
【請求項１７】
前面および背面に抵抗パターンが含まれたＰＣＢ基板で形成されたヒーターと、前記ヒーターの前面および背面に各々配置され前記ヒーターに包まれて流体が移動するように流路を形成する隔壁部材およびカバー部材と、前記ヒーターとカバー部材の間の前記流路に配置されるフィルターと、前記フィルターに対応する位置のカバー部材に形成された気孔と、前記流路に流体が流入する第一連結部および前記流路から前記流体が流出する第二連結部が含まれる加温装置。
【請求項１８】
前記フィルターおよび気孔は、前記ヒーターの前面および背面中少なくともどちらか一つの面に配置される請求項１７に記載の加温装置。
【請求項１９】
前記フィルターは、流体が通過しない疎水性の不織布で形成された請求項１７に記載の加温装置。
【発明の詳細な説明】
【技術分野】
【０００１】
本発明は、医療用加温装置に関するものである。
【背景技術】
【０００２】
通常、輸液や血液を人体に注入する際、輸液や血液が体温と同程度に加温され注入できるようにする装置が要求される。輸液や血液は、腐敗や有害物質の発生を防止するために低温で保管されるが、低温状態の輸液や血液が人体に注入される場合、注入された輸液、または血液が体温と同温度になるためには、患者の新陳代謝によるエネルギーが必要である。
【０００３】
ちなみに、低温状態の輸液または血液が人体に注入された場合、患者の体温を下げ、場合によっては心臓ショックを起こして死亡に至ることがある。特に全身麻酔患者の場合、体温調節ができないので手術後ひどい寒さを感じ、輸液または血液が注入される皮膚での冷却点も刺激され、患者は冷痛症を感じる。
【０００４】
したがって、輸液や血液のような流体を患者の身体に注入する前に、体温と同程度の温度に加温する必要がある。また、輸液や血液を加温する祭に、気体が発生する場合があるが、このように発生した空気の適切な除去がない場合、血液の円滑な流通を防ぐだけではなく、特に毛細血管が詰まると細胞怪死が起き、塞栓症のような副作用が発生する場合もある。
【発明の概要】
【発明が解決しようとする課題】
【０００５】
本発明の目的は、以上のような前記従来の問題点に鑑みてなされたものであり、本発明の実施例は、医療用加温装置を提供する。本発明の実施例は、輸液や血液を効果的に加温できる医療用加温装置を提供する。本発明の実施例は、輸液や血液に発生した空気を効果的に除去できる医療用加温装置を提供する。本発明の実施例は、輸液や血液を円滑に移動させることができる医療用加温装置を提供する。
【課題を解決するための手段】
【０００６】
実施例に係る加温装置は、ヒーター、前記ヒーターの前面、および、背面に各々配置されて、前記ヒーターを囲んで流体が移動するように流路を形成する隔壁部材、および、カバー部材と、前記流路上に配置されエアーを除去するエアーフィルター部と、前記流路から流体が流入する第一連結部、および、前記流路から前記流体が流出する第二連結部とが含まれる。
【０００７】
実施例に係る加温装置は、前面、および、背面に抵抗パターンが含まれたＰＣＢ基板で形成されたヒーターと、前記ヒーターの前面、および、背面に各々配置され前記ヒーターを囲んで流体が移動するように流路を形成する隔壁部材、および、カバー部材と、前記ヒーターとカバー部材間の前記流路に配置されるフィルターと、前記フィルターに対応する位置のカバー部材に形成された気孔と、前記流路から流体が流入する第一連結部、および、前記流路から前記流体が流出する、第二連結部とが含まれる。
【発明の効果】
【０００８】
本発明の実施例は、医療用加温装置を提供することができる。本発明の実施例は、輸液や血液を効果的に加温できる医療用加温装置を提供することができる。本発明の実施例は、輸液や血液に発生した空気を、効果的に除去できる医療用加温装置を提供することができる。本発明の実施例は、輸液や血液が円滑に移動できる医療用加温装置を提供することができる。
【図面の簡単な説明】
【０００９】
【図１】本発明の実施例に係る医療用加温装置の斜視図。
【図２】本発明の実施例に係る医療用加温装置が組立てられた状態を示す図面。
【図３】ヒーターの前面図。
【図４】ヒーターの背面図。
【図５】本発明の実施例に係る加温装置で第一カバーとヒーターが結びついた状態を示す図面。
【図６】本発明の実施例に係る加温装置で第一カバー、ヒーター、および、第二カバーが結びついた状態を示す図面。
【図７】本発明の実施例に係る加温装置で下部ケース内に形成されたコネクターとヒーターの電源認可電極、および、センシング電極が連結されることを説明する図面。
【図８】本発明の実施例に係る加温装置で第一カバー、ヒーター、第二カバー、および、第三カバーが結びついた状態の断面図。
【図９】他の実施例に係る加温装置の説明図。
【図１０】他の実施例に係る加温装置の説明図。
【図１１】他の実施例に係る加温装置の説明図。
【図１２】他の実施例に係る加温装置の説明図。
【図１３】本発明の他の実施例に係る加温装置の説明図。
【図１４】本発明のさらに他の実施例に係る加温装置の説明図。
【図１５】電源コネクターの電気的連結関係の説明図。
【図１６】電源コネクターの電気的連結関係の説明図。
【発明を実施するための形態】
【００１０】
本発明に係る実施例の説明に於ける各層（膜）、領域、パターンまたは構造物などが基板、各層(膜)、領域、パッドまたはパターンなどの「上(on)」にまたは「下(under)」に形成されるものとして記載される場合に於いて、「上(on)」と「下(under)」は「直接(directly)」または「他の層を介在して(indirectly)」形成されることを全て含む。また、各層の上または下に対する基準は図面に依拠して説明する。
【００１１】
図面で各層の厚さや大きさは、説明の便宜、および、明確性のために、誇張したり省略したり、または概略的に図示した。また、各構成要素の大きさは、実際の大きさを全面的に反映するものではない。
【００１２】
以下、添付された図面に依拠して、本発明の実施例に係る医療用加温装置に対し詳しく説明する。図１は、本発明の実施例に係る医療用加温装置の斜視図で、図２は、本発明の実施例に係る医療用加温装置が組立てられた状態を示す図面である。
【００１３】
図１と図２を参照すると、本発明の実施例に係る医療用加温装置は、下部ケース１１と上部ケース１２が結びついてケース１０を形成する。前記下部ケース１１と上部ケース１２間の加温装置装着部１３には加温装置１００が配置される。
【００１４】
本発明の実施例に係る加温装置は、血液や輸液と同じ流体を加温する加温機能と、前記流体に含まれたエアーを除去するエアーフィルター機能を提供する。
【００１５】
これらの機能を提供するために、実施例に係る加温装置１００は、第一カバー２０、ヒーター５０、第二カバー４０、フィルター２４、および、第三カバー４１が含まれる。
【００１６】
前記第一カバー２０と第二カバー４０は、前記ヒーター５０をはさんで結びつき、前記第二カバー４０と第三カバー４１は前記フィルター２４をはさんで結びつく。
【００１７】
前記第一カバー２０の前記ヒーター５０を対面する面には複数の第一隔壁２７が形成され、前記第二カバー２０の前記ヒーター５０と対面する面には複数の第二隔壁４７が形成される。前記第一カバー２０と前記第一隔壁２７は一体で射出されて形成することができ、同様に前記第二カバー４０と前記第二隔壁４７は一体で射出されて形成することができる。
【００１８】
前記第二カバー４０には前記第一カバー２０の第一隔壁２７と対応し、流路を形成できるように前記第二隔壁４７が形成されるが、前記第二カバー４０の一部の領域は前記第二隔壁４７だけ形成され、前記第二隔壁４７を上側方向から支持する第二カバー４０の一部は形成されない。前記第二隔壁４７は両側端で前記第二カバー４０に支持される。
【００１９】
前記第二カバー４０が一部除去された部分には、前記フィルター２４が配置され、前記フィルター２４を支持するのと同時に流路を形成するための前記第三カバー４１が配置される。前記第三カバー４１には、前記第二隔壁４７により区分された、それぞれの流路で発生したエアーを外部へ排出するための複数個の気孔４１ａが形成される。
【００２０】
前記第一隔壁２７は、第一方向に傾斜した形態で形成され、前記第二隔壁４７は第二方向に傾斜した形態で形成され、前記ヒーター５０とともに流路を形成する。
【００２１】
前記第一隔壁２７を含む第一カバー２０、第二隔壁４７を含む第二カバー４０、第三カバー４１、および、ヒーター５０により形成される流路はまるで前記ヒーター５０をねじ山の形態で囲むように形成され、前記流路を通して流れる流体に前記ヒーター５０から発生した熱が、十分に伝えられるように形成される。
【００２２】
前記ヒーター５０の幅は、前記第一隔壁２７、および、第二隔壁４７が形成された幅より狭いので、前記ヒーター５０により区分されたヒーター５０の前面流路と、ヒーターの背面流路は前記ヒーター５０の両側面の部分で連結し合う。
【００２３】
前記第一カバー２０は、流体が流入する第一連結部２１と、流体が流出する第二連結部２２を含む。したがって、前記第一隔壁２７を含む第一カバー２０、ヒーター５０、第二隔壁４７を含む第二カバー４０、および、第三カバー４１が結びついた場合、流体は前記第一連結部２１から流入して前記第一隔壁２７を含む第一カバー２０、第二隔壁４７を含む第二カバー４０、第三カバー４１、および、ヒーター５０により形成される流路をすぎ、前記第二連結部２２を通して流出する。
【００２４】
前記加温装置１００は、前記第一連結部２１が上側に配置され、前記第二連結部２２が下側に配置された状態で使われるので、前記第一連結部２１を通して流入した流体は、前記流路に沿って前記第二連結部２２を通して流出する。
【００２５】
例えば、前記第一連結部２１を通して流入した流体は、前記ヒーター５０の背面、前記第一カバー２０、前記第一カバー２０の第一隔壁２７が形成する背面流路を通過して、前記第一隔壁２７が傾斜した第一方向、すなわち、右側下方向に流れ、前記背面流路の終端で前記ヒーター５０の前面、前記第二カバー４０、前記第二カバー４０の第二隔壁４７が形成する前面流路を通して、前記第二隔壁４７が傾斜した第二方向、つまり、左側下方向に流れる。
【００２６】
そして、前記流体は前記第二連結部２１に隣接した部分で、前記ヒーター５０の背面、前記第一カバー２０、前記第一カバー２０の第一隔壁２７が形成する背面流路と、前記背面流路の終端で前記ヒーター５０の前面、前記第二カバー４０の第二隔壁４７、前記第三カバー４１が形成する前面流路を通過して前記第二連結部２１へ流れる。
【００２７】
図示のごとく、前記フィルター２４は前記第一連結部２１よりも前記第二連結部２２に隣接して配置される。流体は、低温状態よりも加温された状態でより多くのエアーを含むので、前記フィルター２４を前記第二連結部２２に隣接して配置するとエアーフィルター機能を提供するのにより効果的である。
【００２８】
このように、前記第一隔壁２７を含む第一カバー２０、ヒーター５０、第二隔壁４７を含む第二カバー４０、および、第三カバー４１により形成される流路は、前記ヒーター５０をねじ山の形態で囲むように形成され、前記第一連結部２１を通して流入した流体は、前記ヒーター５０により十分に加温され、前記流路を流れる流体の圧力は、前記第二カバー４７、および、第三カバー４１の外部の圧力よりも強いので、前記流体に含まれたエアーは前記フィルター２４を通して外部に抜け出る。したがって、前記流体からエアーが除去され、前記流体は前記第二連結部２２を通して抜け出る。
【００２９】
図８は、本発明の実施例に係る加温装置で第一カバー、ヒーター、第二カバー、および、第三カバーが結びついた状態の断面を図示した図面である。図８を参照すると、前述のごとく、前記第一カバー２０、前記第一カバー２０の第一隔壁２７、および、前記ヒーター５０の背面は背面流路２０ａを形成し前記第二カバー４０、前記第二カバー４０の第二隔壁４７、第三カバー４１前記ヒーター５０の前面は前面流路４０ａを形成する。
【００３０】
前記背面流路２０ａと前面流路４０ａは、前記第一隔壁２７、および、第二隔壁４７方向に沿って、前記加温装置１００の中央部で前記ヒーター５０をはさんで交差させる。図８は、前記加温装置１００の中央部から一側に偏った位置(図６のI-I')での断面図である。したがって、前記第一隔壁２７、および、第二隔壁４７は相互交錯するように配置される。
【００３１】
一方、前記流体が前記フィルター２４が形成された前面流路４０ａを過ぎる時、前記流体に含まれたエアーが前記フィルター２４に捕集され、前記気孔４１ａを通して外部へ排出される。
【００３２】
図９ないし図１２は、他の実施例に係る加温装置を説明する図面である。図９にはヒーター５０をねじ山の形態で囲んで隔壁５８の形成が示されており、図１０には第一カバー２０、ヒーター５０、フィルター２４、および、第二カバー４０の分解斜視図が図示されており、図１１には第一カバー２０、ヒーター５０、フィルター２４、および、第二カバー４０が結びついた状態で加温装置の中央部での断面が図示されており、図１２は第一カバー２０、ヒーター５０、フィルター２４、および、第二カバー４０が結びついた状態で加温装置の中央部での一側に偏った位置での断面が示されている。
【００３３】
図９ないし１２を参照すると、前述した実施例とは違い、図９ないし図１２で説明される実施例は、ヒーター５０に直接に隔壁５８が形成される。前記隔壁５８は、前記ヒーター５０といっしょにインサート射出され、前記ヒーター５０に付着させることができる。
【００３４】
前記ヒーター５０の前面、および、背面には、コーティング物質(図示せず)が形成される事もあり、前記隔壁５８をインサート射出する場合、前記コーティング物質が溶けて、前記隔壁５８と前記ヒーター５０の間に微細なすき間が発生しないようにすることもできる。この時、前記コーティング物質は前記隔壁５８を形成する物質よりも、低い融点を有する物質として選択することもできる。
【００３５】
実施例で前記ヒーター５０の中央部には、一定間隔に連結ホール５９を形成することができる。前記連結ホール５９は、前記ヒーター５０に前記隔壁５８をインサート射出する場合、前記連結ホール５９に前記隔壁５８を形成する物質が注入されるようにし、前記ヒーター５０の前面、および、背面に形成された隔壁５８が、よりヒーター５０とかたく結びつくようにする。前記隔壁５８は前記ヒーター５０とともにインサート射出され前記ヒーター５０に付着し、第一カバー２０、および、第二カバー４０には隔壁が形成されない。
【００３６】
一方、前記第二カバー４０にはフィルター付着部４０ｂが形成され、前記フィルター２４を付着できる。前記フィルター付着部４０ｂは、前記第二カバー４０の厚さを他の部分よりも薄く形成したり、図１１のごとく、他の部分よりも上側方向に突出するように形成することもできる。そして、図８での説明のように、前記フィルター付着部４０ｂには、流路と対応する位置に気孔４１ａが形成され、前記フィルター２４で捕集されたエアーが外部へ排出される。
【００３７】
図１３は、本発明の他の実施例に係る加温装置の説明図である。図１３を参照すると、ヒーター５０の前面、および、背面には図９のごとく隔壁５８が形成され、前記第一カバー２０、および、第二カバー４０にも各々第一隔壁２７、および、第二隔壁４７が形成される。また、第三隔壁４７ａが形成された第三カバー４１がさらに形成され、前記第三カバー４１は図１１のごとく、前記第二カバー４０と一体として形成することもできる。
【００３８】
前記ヒーター５０に形成された隔壁５８は、前記ヒーター５０にインサート射出されて結びつき、前記第一隔壁２７、第二隔壁４７、および、第三隔壁４７ａは前記第一カバー２０、第二カバー４０、および、第三カバー４１の射出時に一緒に射出されて形成される。
【００３９】
前記隔壁５８は、端部が凹に形成され、前記第一隔壁２７、第二隔壁４７、および、第三隔壁４７ａは端部が凸に形成される。したがって、前記第一隔壁２７、第二隔壁４７、および、第三隔壁４７ａは、前記隔壁５８と対応することができるので、流体が決まった流路に円滑に移動することができる。
【００４０】
一方、前記隔壁５８を含むヒーター５０と第三隔壁４７ａを含む第三カバー４１の間には、フィルター２４が形成され、前記第三カバー４１には気孔４１ａが形成され、前述のように流体のエアーを除去する機能を遂行する。
【００４１】
一方、図１１には、前記隔壁５８は端部が凹に形成され、前記第一隔壁２７、第二隔壁４７、および、第三隔壁４７ａは端部が凸に形成されたものが開始されているが、前記隔壁５８は端部が凸に形成され、前記第一隔壁２７、第二隔壁４７、および、第三隔壁４７ａは端部が凹に形成することが可能である。
【００４２】
図１４は、本発明のまた他の実施例に係る加温装置の説明図である。図１４を参照すると、ヒーター５０の前面、および、背面には図９のごとく、隔壁５８が形成され、前記第一カバー２０、および、第二カバー４０の前記隔壁５８に対応する位置にホーム２３,４３が形成される。
【００４３】
また、ホーム４３ａが形成された第三カバー４１がさらに形成され、前記第三カバー４１は図１１のごとく、前記第二カバー４０と一体として形成することもできる。前記ヒーター５０に形成された隔壁５８は、前記ヒーター５０とインサート射出されて結びつき、前記第一カバー２０、第二カバー４０、および、第三カバー４１のホーム２０a、４０a、４３ａは前記第一カバー２０、第二カバー４０、および、第三カバー４１の射出時に形成される。
【００４４】
前記隔壁５８は端部が凸に形成され、前記第一カバー２０、第二カバー４０、および、第三カバー４１のホーム２０a、４０a、４３ａに一部が挿入される。したがって、前記第一カバー２０、第二カバー４０、および、第三カバー４１のホーム２０a、４０a、４３ａは前記隔壁５８と対応できるので、流体が決まった流路に円滑に移動することができる。
【００４５】
一方、前記隔壁５８を含むヒーター５０と、ホーム４３ａとを含む第三カバー４１の間には、フィルター２４が形成され、前記第三カバー４１には気孔４１ａが形成され前述のように、流体のエアーを除去する機能を行なう。
【００４６】
以上、実施例を中心として説明したが、これは単に例示にすぎず、本発明を限定するものではない。本発明が属する分野の通常の知識を有する者なら、本実施例の本質的な特性を超えない範囲で、以上に例示されなかった様々な変形と応用が可能であることが分かるであろう。例えば、実施例に具体的に現われた各構成要素は、変形させて実施できるものである。そして、このような変形と応用に関係した差異点などは、添付された請求範囲で規定する本発明の範囲に含まれるものとして、解釈されなければならない。
【符号の説明】
【００４７】
１１は、下部ケース
１２は、上部ケース
１３は、加温装置装着部
１００は、加温装置
２０は、第一カバー
５０は、ヒーター
４０は、第二カバー
２４は、フィルター
４１は、第三カバー
２７は、第一隔壁
４７は、第二隔壁
４１aは、気孔
２１は、第一連結部
２２は、第二連結部
２０aは、背面流路
４０aは、前面流路
２７は、第一隔壁
５９は、連結ホール
５８は、隔壁
【００４８】
一方、前記流体が前記フィルター２４が形成された前面流路４０ａを過ぎる時、前記流体に含まれたエアーが前記フィルター２４に捕集され、前記気孔４１ａを通して外部へ排出される。
【００４９】
図９ないし図１２は、他の実施例に係る加温装置を説明する図面である。図９にはヒーター５０をねじ山の形態で囲んで隔壁５８。
【図１】
2011528930.tif 000003
【図２】
2011528930.tif 000004
【図３】
2011528930.tif 000005
【図４】
2011528930.tif 000006
【図５】
2011528930.tif 000007
【図６】
2011528930.tif 000008
【図７】
2011528930.tif 000009
【図８】
2011528930.tif 000010
【図９】
2011528930.tif 000011
【図１０】
2011528930.tif 000012
【図１１】
2011528930.tif 000013
【図１２】
2011528930.tif 000014
【図１３】
2011528930.tif 000015
【図１４】
2011528930.tif 000016
【図１５】
2011528930.tif 000017
【図１６】
2011528930.tif 000018
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
第一面、および、第二面を含むヒーターと、外部供給源から流体が流入する第一連結部と、加温された流体が流出する第二連結部と、前記ヒーターの各面の上に配置された複数の隔壁部材、および、一組のカバー部材と、前記各カバー部材は前記ヒーターの一面上に配置され、前記一組のカバー部材は前記ヒーターと前記隔壁部材を相互結合させ、前記ヒーターと前記隔壁部材の間に前記ヒーター周囲を、多数回囲む流路を有するボディーを形成するように構成し、前記第一連結部から前記流路を通して流れる流体を加温して、前記気第二連結部に加温された流体を供給する加温装置。
【請求項２】
前記ヒーターは、絶縁基板上に形成されたＰＣＢタイプのヒーターで、前記ＰＣＢタイプのヒーターは、前記絶縁基板の両面に形成された抵抗パターンを含む請求項１記載の加温装置。
【請求項３】
前記隔壁部材は、前記各カバー部材の内部面に形成される請求項１記載の加温装置。
【請求項４】
前記各カバー部材、および、隔壁部材は、一体として射出されて形成される請求項３記載の加温装置。
【請求項５】
前記流路をねじ山の形態で形成するために、第一カバー部材上の隔壁部材は第一方向に傾斜した形態で形成され、第二カバー部材上の隔壁部材は第二方向に傾斜した形態で形成された、請求項３記載の加温装置。
【請求項６】
前記流体からエアーを除去するために、前記流路上に配置されるエアーフィルターをさらに含み、前記エアーフィルターは、前記カバー部材のなかでどれか一つの内部面上に配置される、請求項１記載の加温装置。
【請求項７】
前記エアーフィルターは、前記第二連結部に隣接して配置される、請求項６記載の加温装置。
【請求項８】
前記エアーフィルターは、前記カバーの中でどれ一つの内部面と前記隔壁部材の間に配置される、請求項６記載の加温装置。
【請求項９】
前記エアーフィルターと接触する前記カバー部材の中で、どれか一部は前記エアーフィルターによって、前記流体から除去されたエアーを前記流路で外部に排出するための、複数個の気孔を含む請求項６記載の加温装置。
【請求項１０】
前記流路でエアーを排出し、前記加温装置のボディーの外部から、前記流路の中へのエアー流入を防止するために、前記複数個の気孔が各々に形成されたチェックバルブを、さらに含む請求項９記載の加温装置。
【請求項１１】
前記エアーフィルターは、前記流路から前記流体が通過することを防止するために、疏水性メンブレインで形成される請求項６記載の加温装置。
【請求項１２】
前記ＰＣＢタイプのヒーターは、前記加温装置のボディーの外部に延びた、少なくとも一つの電圧電極を含む請求項２記載の加温装置。
【請求項１３】
前記少なくとも一つの電圧電極は、外部電源から電源を受信し、前記ＰＣＢタイプヒーターの抵抗パターンに電源を供給するように構成される、請求項１２記載の加温装置。
【請求項１４】
前記ＰＣＢタイプヒーターの第一面、および、第二面上の抵抗パターンは電気的に分離する、請求項１３記載の加温装置。
【請求項１５】
前記加温装置は、前記加温装置を収納し、前記少なくとも一つの電圧電極と、少なくとも一つの温度センシング電極を連結するように構成されたハウジング内に設置される、請求項１３記載の加温装置。
【請求項１６】
前記ＰＣＢタイプのヒーターは、前記加温装置のボディーの外部に延びた、少なくとも一つの温度センシング電極、および、前記温度センシング電極と連結され、前記流路内で、前記流体の温度を測定するための、少なくとも一つの温度センサーを含む請求項２記載の加温装置。
【請求項１７】
前記加温装置は、前記加温装置を収納し、前記少なくとも一つの温度センシング電極に連結するように構成された、ハウジング内に設置される請求項１６記載の加温装置。
【請求項１８】
前記隔壁部材は、前記ヒーターの第一面と第二面上に形成される、請求項１記載の加温装置。
【請求項１９】
前記ヒーターは、前記ヒーターの第一面と第二面上に形成された、前記隔壁部材を相互連結させるための連結ホールを含む、請求項１８記載の加温装置。
【請求項２０】
前記ヒーターの両面上に形成されたコーティング物質をさらに含み、前記隔壁部材が、前記ヒーターの第一面と第二面上に隔壁が形成される時、前記コーティング物質が溶けて、前記ヒーターと前記隔壁部材が一体として形成されるように、前記コーティング物質は前記隔壁部材の物質よりも低い融点を有する請求項１８記載の加温装置。
【請求項２１】
前記カバー部材が、前記ヒーターの周囲を多数回囲む流路を有するボディーを形成するために相互結びつく時、前記ヒーターの第一面、および、第二面上に形成された前記隔壁部材の端部を受信するために、各カバー部材の内部面に形成された複数のホールをさらに含む請求項１８記載の加温装置。
【請求項２２】
前記ヒーターの第一面と第二面上に形成された第二隔壁部材をさらに含み、各カバー部材の内部面上に形成された隔壁部材の端部は、前記ヒーター上の前記第二隔壁部材の端部に相応する形態にかみ合うように形成される、請求項３記載の加温装置。
【国際調査報告】
2011528930.tif 000019
2011528930.tif 000020
2011528930.tif 000021
2011528930.tif 000022